【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
複数のレンズ群を有し、ズーミングに際して隣り合うレンズ群の間隔が変化するズームレンズであって、
前記複数のレンズ群のうち最も像側に配置されたレンズ群ＢＲは、フォーカシングに際して光軸方向に移動し、
前記レンズ群ＢＲの物体側に隣接して配置された、単レンズ又は接合レンズより構成されたレンズ要素の屈折力の符号は、前記レンズ群ＢＲの屈折力の符号と逆符号であり、
広角端における前記レンズ要素の最も像側の面と像面との距離をｄｉ、広角端における前記レンズ要素の最も像側の面と前記レンズ群ＢＲの最も物体側の面との距離をｄｆ、広角端における全系の焦点距離をｆｗとするとき、
０．２＜ｄｉ／ｆｗ＜１．４
０．２＜ｄｆ／ｆｗ＜１．２
なる条件式を満足することを特徴とするズームレンズ。
【請求項２】
前記レンズ群ＢＲは正の屈折力を有し、前記レンズ要素は負の屈折力を有することを特徴とする請求項１に記載のズームレンズ。
【請求項３】
広角端における前記レンズ群ＢＲの横倍率をβｗとするとき、
０．７＜βｗ＜１．０
なる条件式を満足することを特徴とする請求項２に記載のズームレンズ。
【請求項４】
前記レンズ群ＢＲは正の屈折力の単レンズまたは正の屈折力の接合レンズより構成され、
前記レンズ群ＢＲの最も物体側の面と最も像側の面の曲率半径をそれぞれｒｆ、ｒｒとするとき、
−５．０＜（ｒｆ＋ｒｒ）／（ｒｆ−ｒｒ）＜０．０
なる条件式を満足することを特徴とする請求項２又は３に記載のズームレンズ。
【請求項５】
前記レンズ要素の焦点距離をｆａとするとき、
１．０＜−ｆａ／ｆｗ＜４．０
なる条件式を満足することを特徴とする請求項２乃至４のいずれか１項に記載のズームレンズ。
【請求項６】
前記ズームレンズは、物体側より像側へ順に配置された、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群より構成され、ズーミングに際して各レンズ群は互いに異なる軌跡で移動することを特徴とする請求項２乃至５のいずれか１項に記載のズームレンズ。
【請求項７】
前記ズームレンズは、物体側より像側へ順に配置された、負の屈折力の第１レンズ群、正の屈折力の第２レンズ群、正の屈折力の第３レンズ群、負の屈折力の第４レンズ群、正の屈折力の第５レンズ群より構成され、ズーミングに際して各レンズ群は互いに異なる軌跡で移動することを特徴とする請求項２乃至５のいずれか１項に記載のズームレンズ。
【請求項８】
前記ズームレンズは、物体側より像側へ順に配置された、負の屈折力の第１レンズ群、正の屈折力の第２レンズ群、負の屈折力の第３レンズ群、正の屈折力の第４レンズ群より構成され、ズーミングに際して各レンズ群は互いに異なる軌跡で移動することを特徴とする請求項２乃至５のいずれか１項に記載のズームレンズ。
【請求項９】
前記レンズ群ＢＲは負の屈折力を有し、前記レンズ要素は正の屈折力を有することを特徴とする請求項１に記載のズームレンズ。
【請求項１０】
広角端における前記レンズ群ＢＲの横倍率をβｗとするとき、
１．０＜βｗ＜１．３
なる条件式を満足することを特徴とする請求項９に記載のズームレンズ。
【請求項１１】
前記レンズ群ＢＲは負の屈折力の単レンズまたは負の屈折力の接合レンズより構成され、
前記レンズ群ＢＲの最も物体側の面と最も像側の面の曲率半径をそれぞれｒｆ、ｒｒとするとき、
０．０＜（ｒｆ＋ｒｒ）／（ｒｆ−ｒｒ）＜５．０
なる条件式を満足することを特徴とする請求項９又は１０に記載のズームレンズ。
【請求項１２】
前記レンズ要素の焦点距離をｆａとするとき、
１．０＜ｆａ／ｆｗ＜４．０
なる条件式を満足することを特徴とする請求項９乃至１１のいずれか１項に記載のズームレンズ。
【請求項１３】
前記ズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群より構成され、ズーミングに際して各レンズ群は互いに異なる軌跡で移動することを特徴とする請求項９乃至１２のいずれか１項に記載のズームレンズ。
【請求項１４】
前記ズームレンズは、物体側より像側へ順に配置された、負の屈折力の第１レンズ群、正の屈折力の第２レンズ群、正の屈折力の第３レンズ群、負の屈折力の第４レンズ群、正の屈折力の第５レンズ群、負の屈折力の第６レンズ群より構成され、ズーミングに際して各レンズ群は互いに異なる軌跡で移動することを特徴とする請求項９乃至１２のいずれか１項に記載のズームレンズ。
【請求項１５】
前記ズームレンズは、開放Ｆナンバーを決定する開口絞りを有し、前記レンズ要素の最も像側の面の光学有効径をφａとするとき、
０．７＜φａ／ｄｉ＜１．４
なる条件式を満足することを特徴とする請求項１乃至１４のいずれか１項に記載のズームレンズ。
【請求項１６】
請求項１乃至１５のいずれか１項に記載のズームレンズと、該ズームレンズによって形成される像を受光する撮像素子とを有することを特徴とする撮像装置。
【請求項１７】
広角端における撮影半画角をωｗとするとき、
ωｗ≧３０°
なる条件式を満足することを特徴とする請求項１６に記載の撮像装置。
【手続補正２】
【補正対象書類名】明細書
【補正対象項目名】００１７
【補正方法】変更
【補正の内容】
【００１７】
本発明のズームレンズは、複数のレンズ群を有し、ズーミングに際して隣り合うレンズ群の間隔が変化するズームレンズであって、
前記複数のレンズ群のうち最も像側に配置されたレンズ群ＢＲは、フォーカシングに際して光軸方向に移動し、
前記レンズ群ＢＲの物体側に隣接して配置された、単レンズ又は接合レンズより構成されたレンズ要素の屈折力の符号は、前記レンズ群ＢＲの屈折力の符号と逆符号であり、
広角端における前記レンズ要素の最も像側の面と像面との距離をｄｉ、広角端における前記レンズ要素の最も像側の面と前記レンズ群ＢＲの最も物体側の面との距離をｄｆ、広角端における全系の焦点距離をｆｗとするとき、
０．２＜ｄｉ／ｆｗ＜１．４
０．２＜ｄｆ／ｆｗ＜１．２
なる条件式を満足することを特徴としている。
【手続補正３】
【補正対象書類名】明細書
【補正対象項目名】００２０
【補正方法】変更
【補正の内容】
【００２０】
以下に、本発明の好ましい実施の形態を、添付の図面に基づいて詳細に説明する。本発明のズームレンズは、複数のレンズ群を有し、ズーミングに際して隣り合うレンズ群の間隔が変化するズームレンズである。複数のレンズ群のうち最も像側に配置されたレンズ群ＢＲは、フォーカシングに際して光軸方向に移動する。レンズ群ＢＲの物体側に隣接して配置された、単レンズ又は接合レンズより構成されたレンズ要素の屈折力の符号は、レンズ群ＢＲの屈折力の符号と逆符号である。
【手続補正４】
【補正対象書類名】明細書
【補正対象項目名】００５８
【補正方法】変更
【補正の内容】
【００５８】
各実施例のズームレンズにおいては、レンズ群ＢＲが正の屈折力であっても、また負の屈折力であっても開放Ｆナンバーを決定する開口絞りＳＰを有するのが良い。そして、レンズ要素Ａの最も像側の面の光学有効径をφａとする。このとき、
０．７＜φａ／ｄｉ＜１．４    ・・・（６）
なる条件式を満足するのが良い。
【手続補正５】
【補正対象書類名】明細書
【補正対象項目名】００６６
【補正方法】変更
【補正の内容】
【００６６】
以下、各実施例のズームレンズのレンズ構成について説明する。実施例１のズームレンズは、物体側より像側へ順に配置された、次のレンズ群より構成されている。正の屈折力の第１レンズ群Ｂ１、負の屈折力の第２レンズ群Ｂ２、正の屈折力の第３レンズ群Ｂ３、正の屈折力の第４レンズ群Ｂ４、負の屈折力の第５レンズ群Ｂ５、正の屈折力の第６レンズ群Ｂ６より構成されている。第６レンズ群Ｂ６が最も像側に位置するレンズ群ＢＲであり、第５レンズ群Ｂ５がレンズ要素Ａに相当する。
【手続補正６】
【補正対象書類名】明細書
【補正対象項目名】００７０
【補正方法】変更
【補正の内容】
【００７０】
実施例２のズームレンズは物体側より像側へ順に配置された、次のレンズ群より構成されている。正の屈折力の第１レンズ群Ｂ１、負の屈折力の第２レンズ群Ｂ２、正の屈折力の第３レンズ群Ｂ３、負の屈折力の第４レンズ群Ｂ４、負の屈折力の第５レンズ群Ｂ５より構成されている。また、第５レンズ群Ｂ５を光軸上移動させてフォーカシングを行うリアフォーカス式を採用している。望遠端において無限遠物体から近距離物体へフォーカスを行う場合には、矢印５ｃに示すように、第５レンズ群Ｂ５を後方に繰り込むことで行っている。
【手続補正７】
【補正対象書類名】明細書
【補正対象項目名】００７４
【補正方法】変更
【補正の内容】
【００７４】
実施例３のズームレンズは、物体側より像側へ順に配置された、次のレンズ群より構成されている。負の屈折力の第１レンズ群Ｂ１、正の屈折力の第２レンズ群Ｂ２、正の屈折力の第３レンズ群Ｂ３、負の屈折力の第４レンズ群Ｂ４、正の屈折力の第５レンズ群Ｂ５より構成されている。第５レンズ群Ｂ５が最も像側に位置するレンズ群であり、第４レンズ群Ｂ４がレンズ要素Ａに相当する。
【手続補正８】
【補正対象書類名】明細書
【補正対象項目名】００７９
【補正方法】変更
【補正の内容】
【００７９】
実施例４のズームレンズは、物体側より像側へ順に配置された、次のレンズ群より構成されている。負の屈折力の第１レンズ群Ｂ１、正の屈折力の第２レンズ群Ｂ２、正の屈折力の第３レンズ群Ｂ３、負の屈折力の第４レンズ群Ｂ４、正の屈折力の第５レンズ群Ｂ５、負の屈折力の第６レンズ群Ｂ６より構成されている。第５レンズ群Ｂ５がレンズ要素Ａに相当している。また、第６レンズ群Ｂ６を光軸上移動させてフォーカシングを行うリアフォーカス式を採用している。望遠端において無限遠物体から近距離物体へフォーカスを行う場合には、矢印６ｃに示すように、第６レンズ群Ｂ６を後方に繰り込むことで行っている。
【手続補正９】
【補正対象書類名】明細書
【補正対象項目名】００８４
【補正方法】変更
【補正の内容】
【００８４】
実施例５のズームレンズは物体側より像側へ順に配置された、次のレンズ群より構成されている。負の屈折力の第１レンズ群Ｂ１、正の屈折力の第２レンズ群Ｂ２、負の屈折力の第３レンズ群Ｂ３、正の屈折力の第４レンズ群Ｂ４より構成されている。第４レンズ群Ｂ４が最も像側に位置するレンズ群であり、第３レンズ群Ｂ３がレンズ要素Ａに相当する。